(57)【要約】【課題】人物がどのような位置にいる場合でも有効な情報表示を行うことのできる液晶表示装置を得る。【解決手段】液晶表示部３として、視野角外の角度で見た場合に階調反転が発生する液晶パネルを用いる。表示制御部２は、階調反転表示に対応した画像信号を含む表示データを液晶表示部３に送出し、液晶表示部３は、その表示データを表示する。【選択図】図１
2011099906.tif 000002
【特許請求の範囲】
【請求項１】
人物の移動によって当該人物の視線方向と表示面との相対角度が変化する位置に設置される液晶表示装置であって、
視野角外の角度で見た場合に階調反転が発生する液晶パネルを用いた液晶表示部と、
前記階調反転表示に対応した画像信号を含む表示データを前記液晶表示部に送出する表示制御部とを備えた液晶表示装置。
【請求項２】
液晶表示部は、人物の移動方向と平行方向に湾曲した表示面を有することを特徴とする請求項１記載の液晶表示装置。
【請求項３】
液晶表示部は、移動方向と平行に複数の表示面を並べて構成されたことを特徴とする請求項１または請求項２記載の液晶表示装置。
【請求項４】
移動する人物の顔認識を行う顔認識センサと、
前記顔認識センサの顔認識結果に基づいて、前記人物の視点位置を求めるターゲット座標計算部とを備え、
表示制御部は、前記ターゲット座標計算部で計算された視点位置から見た画面として、反転領域の画像と正表示領域の画像とが同様となる表示データを送出することを特徴とする請求項１から請求項３のうちのいずれか１項記載の液晶表示装置。
【請求項５】
移動する人物の顔認識を行う顔認識センサと、
前記顔認識センサの顔認識結果に基づいて、前記人物の視点位置を求めるターゲット座標計算部とを備え、
表示制御部は、前記ターゲット座標計算部で計算された視点位置から見た画面として、反転領域のみ視認可能な画像を含む表示データを送出することを特徴とする請求項１から請求項３のうちのいずれか１項記載の液晶表示装置。
【請求項６】
液晶表示部の表示面の向きを視線方向に対して変更する表示方向変更部を備えたことを特徴とする請求項１から請求項５のうちのいずれか１項記載の液晶表示装置。
【発明の詳細な説明】
【技術分野】
【０００１】
本発明は、視野角外の角度で見た場合に階調反転が発生する液晶パネルを用い、この階調反転を利用して視認効果の高い表示を行うようにした液晶表示装置に関する。
【背景技術】
【０００２】
液晶パネルは、その原理上、斜めから見ると明るさが減じたり、色調が反転したり、特定の色が見えにくくなったりする。これは、液晶パネルが液晶の背面から光を出しているためであり、正面から見た場合は正常であっても、斜め方向から見ると液晶層の厚みの分だけ光の量が減る等、液晶層の厚み等が原因となるからである。このような、画面を見る方向（角度）によって見え方（コントラスト比や色）が異なる性質のことを視野角特性と呼ぶ。そして、液晶パネルは、ＣＲＴ（Ｃａｔｈｏｄｅ−Ｒａｙ  Ｔｕｂｅ）と比べ、視角依存性が大きい（視野角特性が悪い）ため、この特性が問題になる。
【０００３】
従来、このような視角依存性を利用して、見る方向に応じて異なる表示を行うようにしたものがあった（例えば、特許文献１参照）。この表示装置は、正面からの視点では視認できないが、斜め方向の視点では視認できるような表示を行っていた。
【先行技術文献】
【特許文献】
【０００４】
【特許文献１】特開２００８−１７６１４８号公報
【発明の概要】
【発明が解決しようとする課題】
【０００５】
しかしながら、上記従来の液晶表示装置では、正面からの視点では視認できない情報を、積極的に斜めの視点を見ることによって視認できるが、これは積極的に斜めの方向から見ない限りどこに表示が出ているかが分からないという問題があった。特に、このような液晶表示装置を広告等の表示装置として用いることを考えた場合、方向によっては広告効果が出ないといった状態が発生し、広告用ディスプレイとしては必ずしも有効であるとは言えないものであった。
【０００６】
この発明は上記のような課題を解決するためになされたもので、人物がどのような位置にいる場合でも有効な情報表示を行うことのできる液晶表示装置を得ることを目的とする。
【課題を解決するための手段】
【０００７】
この発明に係る液晶表示装置は、人物の移動によって人物の視線方向と表示面との相対角度が変化する位置に設置される液晶表示装置であって、視野角外の角度で見た場合に階調反転が発生する液晶パネルを用いた液晶表示部と、階調反転表示に対応した画像信号を含む表示データを液晶表示部に送出する表示制御部とを備えたものである。
【発明の効果】
【０００８】
この発明の液晶表示装置は、視野角外の角度で見た場合に階調反転が発生する液晶パネルを用いた液晶表示部と、階調反転表示に対応した画像信号を含む表示データを液晶表示部に送出する表示制御部とを備えたので、人物がどのような位置にいる場合でも有効な情報表示を行うことができる。
【図面の簡単な説明】
【０００９】
【図１】この発明の実施の形態１による液晶表示装置を示す構成図である。
【図２】ＴＮ方式の液晶と視野角との関係を示す説明図である。
【図３】この発明の実施の形態１による液晶表示装置の湾曲液晶と視野角との関係を示す説明図である。
【図４】この発明の実施の形態１による液晶表示装置の進行方向に対する凸型パネルの反転領域の変化を示す説明図である。
【図５】この発明の実施の形態１による液晶表示装置の進行方向に対する凹型パネルの反転領域の変化を示す説明図である。
【図６】この発明の実施の形態１による液晶表示装置の進行方向に対するマルチディスプレイの反転領域の変化を示す説明図である。
【図７】この発明の実施の形態１による液晶表示装置の表示制御部の表示制御動作を示すフローチャートである。
【図８】この発明の実施の形態１による液晶表示装置の表示効果１の一例を示す説明図である。
【図９】この発明の実施の形態１による液晶表示装置の表示効果２の一例を示す説明図である。
【図１０】この発明の実施の形態１による液晶表示装置の表示効果３の一例を示す説明図である。
【図１１】この発明の実施の形態２による液晶表示装置の構成図である。
【図１２】この発明の実施の形態２による液晶表示装置の表示制御部の表示制御動作を示すフローチャートである。
【図１３】この発明の実施の形態２による液晶表示装置の効果Ａの一例を示す説明図である。
【図１４】この発明の実施の形態２による液晶表示装置の効果Ｂの一例を示す説明図である。
【図１５】この発明の実施の形態３による液晶表示装置の説明図である。
【発明を実施するための形態】
【００１０】
実施の形態１．
図１は、この発明の実施の形態１による液晶表示装置を示す構成図である。
図１に示す液晶表示装置は、外部通信部１、表示制御部２、液晶表示部３を備えている。外部通信部１は、外部より液晶表示部３における表示データとして、コンテンツデータや広告表示データを入力するインタフェースとしての機能を有するものである。表示制御部２は、視野角外の角度で見た液晶の階調反転を利用して、見る方向に合わせて画像が効果的に変化するよう入力画像を変換した表示データを液晶表示部３に送出する制御部である。液晶表示部３は、湾曲した表示面を有する液晶表示装置であり、例えば、視野角の狭いＴＮ（Ｔｗｉｓｔｅｄ  Ｎｅｍａｔｉｃ）方式の液晶を曲率半径４８０ｍｍ程度に曲げたものである。縦方向、横方向、どちらかが湾曲しており、また凸型の湾曲と、凹型の湾曲がある。
【００１１】
このように構成された液晶表示装置において、外部通信部１は通信により広告表示データを得、表示制御部２に出力する。表示制御部２は、入力された広告表示データのダイナミックレンジ変換を行って、階調反転しないＲＧＢ値で表示できるようにする。同時に広告表示データを表示する枠を、階調反転するＲＧＢ値で作成し、広告と枠を画面レイアウトした表示データを液晶表示部３に出力する。液晶表示部３は広告と枠を表示する。液晶表示部３は、視野角の狭いＴＮ方式の液晶を湾曲させたものであるため、見る角度によって広告の枠の一部が階調反転する。
【００１２】
例えば、広告用途、デジタルサイネージ用途のディスプレイが通路に設置される場合、動線に正対させることは難しく、動線に対して９０度方向に設置される場合が多い。即ち、人物の移動方向に対してパネル面が平行となるよう設置されることが多い。このとき、ディスプレイの前を通過する人物は、視点をディスプレイの視野角外から正面を抜けて移動させていくため、見る角度が常に変化していく。更に、液晶表示部３ではその湾曲により、ある視点に対して、各画素が異なる角度を持つことになる。このため、表示制御部２が作成した広告の枠は階調反転を繰り返して、きらめくような表示効果が得られる。通過する人物はきらめく表示効果に気がつき、更にそれが自分の移動動作に反応していると感じることができる。
【００１３】
次に、液晶表示部３について説明するが、これに先立ちＴＮ方式の液晶について説明する。
図２は、ＴＮ方式の液晶と視野角の説明図である。
ＴＮ方式液晶の表示部３ａは、図面左方向から、バックライト４、ガラス５、偏光板６、電極７、液晶分子８、電極９、偏光板１０、ガラス１１がそれぞれ配置されて構成されている。このように構成されたＴＮ方式液晶では、バックライト４の光はガラス５と偏光板６を抜けて単一方向に偏光される。電極７と電極９によって電圧を加えられた液晶分子８は旋光性を持ち、電圧ＯＦＦ状態で９０度の旋光を行い、電圧ＯＮ状態で０度の旋光を行う。旋光された光は偏光板１０とガラス１１を抜けて表示を形成するが、偏光板１０は偏光板６と９０度回転させた方向で構成されている。液晶分子８は電圧ＯＦＦ状態で９０度の旋光を行うため、ＴＮ方式液晶は電圧ＯＦＦ状態で白表示、電圧ＯＮ状態で黒表示となる。
【００１４】
ここで、液晶分子８の回転が表示面に対し垂直方向であることから、特に中間調を表示させる向きに液晶分子８を立ち上がらせた場合、見る角度によって光の抜ける量が異なってしまう。この問題が起こる角度を視野角として、通常、視野角は広いほうがよいとされ、どの方向から見てもきれいに見えることが求められている。視野角改善のためにはガラスに平行な電極によって液晶分子の回転する方向を表示面に平行にしたＩＰＳ（Ｉｎ  Ｐｌａｎｅ  Ｓｗｉｔｃｈｉｎｇ）方式などがあるが、本発明においては視野角性能が狭いことを積極的に使用する。視野角外の角度で見た階調反転を利用して、見る方向に合わせて映像が変化する表示装置を提供する。
【００１５】
次に、図３を用いて湾曲液晶と視野角の関係を説明する。
湾曲液晶パネル３０を、視野角の狭いＴＮ方式液晶で作成すると、ある視点に対して、画素の位置によって視野角内であったり、視野角外であったりする。平面パネルである程度距離がある場合は、液晶の全面が視野角外か、視野角内であるか切り替わることになるが、液晶表面が湾曲している場合は視野角内のエリアと、視野角外のエリアが同時に存在することになる。例えば、図３の例では、方向Ａでは視野角内であるが方向Ｂでは視野角外となる。
【００１６】
次に、図４を用いて進行方向に対する凸型パネルの反転領域の変化を説明する。
湾曲液晶パネル３０をデジタルサイネージに適用し、通行人の進行方向と９０度の方向に設置した場合、液晶表面が湾曲している場合は視野角内のエリアと、視野角外のエリアが同時に存在する。
図４（ａ）では通行人が遠くから湾曲液晶パネル３０の正面に向かって進行中である。凸型パネルの場合は奥側が反転する。即ち、手前側が正表示領域であり、奥側が反転領域である。この視点から見た場合、反転領域が大きいことがわかる。図４（ｂ）では通行人が湾曲液晶パネル３０の正面近くに来ている。この視点から見た場合、反転領域が小さくなっていることがわかる。このように、図の進行方向に歩行しながら見ると、反転領域が進行方向に遠ざかって行くように見える。
【００１７】
次に、図５を用いて進行方向に対する凹型パネルの反転領域の変化を説明する。
湾曲液晶パネル３０をデジタルサイネージに適用し、通行人の進行方向と９０度の方向に設置した場合、液晶表面が湾曲している場合は視野角内のエリアと、視野角外のエリアが同時に存在する。
図５（ａ）では、通行人が遠くから湾曲液晶パネル３０の正面に向かって進行中である。凹型パネルの場合は手前側が反転する。即ち、手前側が反転領域であり、奥側が正表示領域である。この視点から見た場合、反転領域があることがわかる。図５（ｂ）では、通行人が湾曲液晶パネル３０の正面近くに来ている。この視点から見た場合、反転領域がなくなっていることがわかる。このように、図の進行方向に歩行しながら見ると、手前にあった反転領域が消えて行くように見える。
【００１８】
次に、図６を用いて進行方向に対するマルチディスプレイの反転領域の変化を説明する。
湾曲液晶パネル３０をデジタルサイネージに適用し、通行人の進行方向と９０度の方向にマルチで設置した場合、液晶表面が湾曲している場合は視野角内のエリアと、視野角外のエリアが同時に連続して存在する。
図６（ａ）は凸型パネルと凹型パネルを交互に設置したマルチ湾曲液晶パネル３１の例である。通行人が遠くからマルチ湾曲液晶パネル３１の正面に向かって進行中である。奥側が反転する凸型パネルと、手前側が反転する凹型パネルの反転領域は連続することになる。同様に正表示領域も連続し、これらの領域が視点の進行に合わせて滑らかに変化する。
【００１９】
図６（ｂ）は凸型パネルを連続して設置したマルチ湾曲液晶パネル３２の例である。通行人が遠くからマルチ湾曲液晶パネル３２の正面に向かって進行中である。近いディスプレイでは正表示領域が大きいが、遠いディスプレイでは反転領域が大きくなっている。各パネルの正表示領域と反転領域は視点の進行に合わせて滑らかに変化する。
【００２０】
図６（ｃ）は凹型パネルを連続して設置したマルチ湾曲液晶パネル３３の例である。通行人が遠くからマルチ湾曲液晶パネル３３の正面に向かって進行中である。近いディスプレイでは正表示領域が大きいが、遠いディスプレイでは反転領域が大きくなっている。各パネルの正表示領域と反転領域は視点の進行に合わせて滑らかに変化する。
【００２１】
次に、図７のフローチャートを用いて表示制御部２の動作を説明する。
ステップＳＴ１では表示効果の種別がデータＤ１として入力されている。この種別は設定によって不変とする場合と、ランダムに変わる場合と、表示する画像データによって自動で変更される場合がある。
ステップＳＴ２では、外部通信部１から画像情報データＤ２を得る。
ステップＳＴ３では、視野角特性によって反転してしまう画素のＲＧＢ値を規定する。即ち、ＴＮ方式の液晶ディスプレイの性能に合わせ、例えば、
・画素のＲＧＢ値において、グレーで、ＲＧＢ（２５５，２５５，２５５）から（２３０，２３０，２３０）までＲＧＢの３つの値が同じレベルで変化する色群
・ピンクで、ＲＧＢ（２５５，２３８，２５５）からＲＧＢ（２２３，１９７，２２３）までのＧの値が他の２つに比べて低いレベルで変化する色群
・ブルーで、ＲＧＢ（２３８，２５５，２５５）からＲＧＢ（１９７，２２３，２２３）までのＲの値が他の２つに比べて低いレベルで変化する色群
以上の色範囲が、視野角の内外で反転するディスプレイの場合、この色範囲を見る方向に合わせて映像が変化する部分とする。
【００２２】
ステップＳＴ４では、画像情報データＤ２に対し、ステップＳＴ３で規定した反転するＲＧＢ値の範囲を使用しないよう再サンプリングを行う。例えば、グレーで、正表示範囲のＲＧＢ値（２２９，２２９，２２９）から（０，０，０）までの値で再サンプリングを行う。このような再サンプリングにより、画像のダイナミックレンジがわずかに減少する問題があるが、視認範囲を広くでき、アイキャッチ性能が向上する効果がある。
ステップＳＴ５では例えば３つの効果のうち、ＳＴ１で入力されたデータＤ１によりひとつの効果を選択して画像の作成を実行する。表示効果１は、画像の枠を、中心側のＲＧＢ値（２３０，２３０，２３０）から（２５５，２５５，２５５）までのグレーのグラデーションによって、外側が明るい枠として作成する。この枠は視野角外から見た場合に階調が反転し、外側が暗い枠に見える。表示効果２では、ＲＧＢ値（２５５，２５５，２５５）から（２３０，２３０，２３０）までのグレーのグラデーションによって、中心側が明るい枠を表示する。この枠は視野角外から見た場合に階調が反転し、中心側が暗い枠に見える。表示効果３では、ＲＧＢ値（２５５，２４１，２５５）から（２３０，１９７，２３０）までのカラーのグラデーションによって白から薄いピンクへの枠を表示する。この枠は視野角外から見た場合に階調が反転し、中心側が薄いブルー、外側が白に見える。
【００２３】
ステップＳＴ６ではステップＳＴ５で得られた枠内に、ステップＳＴ４の再サンプリングで得られた画像情報を画面レイアウトして表示する。ステップＳＴ７ではステップＳＴ６で得られたデータを液晶表示部３へ出力する。ステップＳＴ８で終了する。
【００２４】
次に、図８〜図１０の表示例を用いて複数方向情報表示装置の表示効果について説明する。
図８（ａ）は、表示効果１を視野角内から見た図である。画像の枠を、中心側のＲＧＢ値（２３０，２３０，２３０）から外側のＲＧＢ値（２５５，２５５，２５５）までのグレーのグラデーションによって、外側が明るい枠として視認される。一方、図８（ｂ）は、表示効果１を視野角外から見た図である。画像の枠が階調反転し、外側が暗い枠として視認される。
【００２５】
図９（ａ）は表示効果２を視野角内から見た図である。画像の枠を、中心側のＲＧＢ値（２５５，２５５，２５５）から外側のＲＧＢ値（２３０，２３０，２３０）までのグレーのグラデーションによって、中心側が明るい枠として視認される。一方、図９（ｂ）は表示効果２を視野角外から見た図である。画像の枠が階調反転し、中心側が暗い枠として視認される。
【００２６】
図１０（ａ）は表示効果３を視野角内から見た図である。画像の枠を、中心側のＲＧＢ値２５５，２４１，２５５）から外側のＲＧＢ値（２３０，１９７，２３０）までのカラーのグラデーションによって、白い中心側から薄いピンクの外側への枠として視認される。一方、図１０（ｂ）は表示効果３を視野角外から見た図である。画像の枠が階調反転し、中心側が薄いブルー、外側が白の枠として視認される。
なお、図８〜図１０は平面ディスプレイで表示した例である。湾曲液晶パネル３０を使用する場合、正表示領域と反転表示領域が滑らかに変化して同時に視認される。
【００２７】
以上のように、実施の形態１の液晶表示装置によれば、人物の移動によって人物の視線方向と表示面との相対角度が変化する位置に設置される液晶表示装置であって、視野角外の角度で見た場合に階調反転が発生する液晶パネルを用いた液晶表示部と、階調反転表示に対応した画像信号を含む表示データを液晶表示部に送出する表示制御部とを備えたので、人物がどのような位置にいる場合でも、広い方向に対してアイキャッチ効果が高い情報表示を行うことができる。
【００２８】
また、実施の形態１の液晶表示装置によれば、液晶表示部は、人物の移動方向と平行方向に湾曲した表示面を有するので、１度に視野角内の表示と視野角外の表示を同時に見ることができ、しかも、視野角内の領域と視野角外の領域が移動に合わせて滑らかに切り替わるような表示とすることができる。
【００２９】
また、実施の形態１の液晶表示装置によれば、液晶表示部を移動方向と平行に複数の表示面を並べて構成するようにしたので、１度に視野角内の表示と視野角外の表示を連続して複数同時に見ることができ、しかも、視野角内の領域と視野角外の複数の領域が、移動に合わせて滑らかに複数回切り替わりを繰り返すようなアイキャッチ効果が高い表示とすることができる。
【００３０】
実施の形態２．
実施の形態２は、液晶表示装置の前を通過する人物の視点位置に対応して表示データを変更するようにしたものである。
図１１は、実施の形態２の液晶表示装置の構成図である。
実施の形態２の液晶表示装置は、外部通信部１、表示制御部２ａ、液晶表示部３、顔認識画像センサ１２、ターゲット座標計算部１３を備えている。ここで、外部通信部１及び液晶表示部３については実施の形態１と同様であるため、その説明は省略する。顔認識画像センサ１２は、カメラ画像の中から人物の顔を判別し、画像中での顔の大きさと座標値を出力するセンサである。ターゲット座標計算部１３は、顔認識画像センサ１２から得る顔の大きさと座標値から、液晶表示部３に対する座標値を計算する。また、表示制御部２ａは、ターゲット座標計算部１３から得るターゲット座標、即ち視点の座標と、湾曲液晶の曲率半径、縦横サイズ、解像度、設置座標からディスプレイの中の反転エリアを計算し、この反転エリアの中に表示される広告表示データの中で、階調反転する画素を抽出するよう構成されている。また、表示制御部２ａは、抽出した画素に対し、反転して見えても、正常表示範囲の映像とつながるように予め逆変換する処理を行う。または、抽出した画素に対し、反転した場合に見える情報を書き込む処理を行う。例えば抽出した画素が３２ｄｏｔ×３２ｄｏｔ程度の領域を形成している場合、ここに文字を書き込み、正面からは見えないが視野角外から視認可能な文字が表示するといったことが可能である。
【００３１】
次に図１２のフローチャートを用いて、実施の形態２における表示制御部２ａの動作を説明する。
ステップＳＴ１では、表示制御部２ａへの入力データＤ１として、湾曲液晶の曲率半径、縦横サイズ、縦横解像度、湾曲させる前の平面時の視野角、指定表示効果（正常表示範囲とつながるようにする効果、反転した場合に別の情報が見える効果）が入力される。ステップＳＴ２では外部通信部１から画像情報データＤ２を得る。
【００３２】
ステップＳＴ９はターゲット座標、即ち、液晶表示装置の前を通過する人物の視点の座標をターゲット座標計算部１３から得る。ステップＳＴ１０では、ステップＳＴ９から入力される通行人の視点の座標と、ステップＳＴ１から得られる液晶表示部３の曲率半径、縦横サイズ、解像度、設置座標から、液晶表示部３の中の反転エリアを計算する。
ステップＳＴ１１では、反転エリアの中に表示される画像情報データＤ２の中で、階調反転するＲＧＢ値を持つ画素を抽出する。
【００３３】
ステップＳＴ１２では、ステップＳＴ１から得られる指定表示効果の種別に従い、例えば効果Ａの場合は抽出した画素に対し、反転して見えても、正常表示範囲の映像とつながるように予め逆変換する処理を行う。または、例えば効果Ｂの場合は、抽出した画素に対し、反転した場合に見える情報を書き込む処理を行う。例えば、抽出した画素が３２ｄｏｔ×３２ｄｏｔ程度の領域を形成している場合、ここに文字を書き込み、正面からは見えないが、視野角外から視認可能な文字が表示できる。ステップＳＴ８では以上のように作成した画像データを液晶表示部３に出力して終了する。このような処理を、顔認識画像センサ１２において、画像から顔を認識している、即ち、人物検知している状態の間は繰り返し行う。この場合、ステップＳＴ９〜ステップＳＴ１２の処理を繰り返すことになる。
【００３４】
図１３は、効果Ａを示す説明図である。
図中の（ａ）に示すように、人物が歩行中である場合は、枠領域は反転表示が行われるような表示データとする。これにより歩行に合わせてチラチラと反転してアイキャッチする。そして、図中の（ｂ）に示すように、人物が立ち止まってディスプレイを見たタイミングで効果Ａを用い、視野角によってばらばらだった表示が、連続した一つのフレームとして見えるようにする。尚、効果Ａを適用するタイミングは、例えば、ターゲット座標計算部１３からの座標値が一定時間同一であった場合に人物が立ち止まってディスプレイを見ていると判断する。
【００３５】
図１４は、効果Ｂを示す説明図である。
効果Ｂとして、例えば、白：ＲＧＢ（２５５，２５５，２５５）の領域に薄いピンク：ＲＧＢ（２４８，２３６，２４８）で文字を書き込む。これにより、図中の（ａ）に示すように視野角内では目立たない文字が、（ｂ）に示すように視野角外では、黒地に薄い青で文字が浮かび上がるような表示となる。
【００３６】
以上のように、実施の形態２の液晶表示装置によれば、移動する人物の顔認識を行う顔認識センサと、顔認識センサの顔認識結果に基づいて、人物の視点位置を求めるターゲット座標計算部とを備え、表示制御部は、ターゲット座標計算部で計算された視点位置から見た画面として、反転領域の画像と正表示領域の画像とが同様となる表示データを送出するようにしたので、アイキャッチ効果が高い情報表示を行うことができる。
【００３７】
また、実施の形態２の液晶表示装置によれば、移動する人物の顔認識を行う顔認識センサと、顔認識センサの顔認識結果に基づいて、人物の視点位置を求めるターゲット座標計算部とを備え、表示制御部は、ターゲット座標計算部で計算された視点位置から見た画面として、反転領域のみ視認可能な画像を含む表示データを送出するようにしたので、アイキャッチ効果が高い情報表示を行うことができる。
【００３８】
実施の形態３．
実施の形態３は、液晶表示部３の向きを可変としたものである。
図１５は、実施の形態３の液晶表示装置の説明図である。
実施の形態３の液晶表示装置では、表示方向変更部１４を備えている。この表示方向変更部１４は、モータ等からなり、液晶表示部３における湾曲液晶パネル３０の向きを変更する機能を有している。尚、これ以外の構成は実施の形態１または実施の形態２と同様であるため、その他の構成は図示省略している。
【００３９】
このように構成された液晶表示装置では、図中（ａ）に示すように、湾曲液晶パネル３０が止まっている人物１００に対して左に回転した場合は左端部が反転領域となる。また、止まっている人物１００に対して右に回転した場合は右端部が反転領域となる。このような構成により、止まっている人物１００に対しても視野角による階調反転効果を見せることができる。尚、実施の形態３において、実施の形態２を適用した場合、表示制御部２ａは、表示方向変更部１４による湾曲液晶パネル３０の表示方向を考慮して反転領域と正表示領域とを計算する。
【００４０】
以上のように、実施の形態３の液晶表示装置によれば、液晶表示部の表示面の向きを視線方向に対して変更する表示方向変更部を備えたので、例えば、止まっている人物に対しても同様にカラーバランスを変えるなど表示を変化させることができ、アイキャッチ効果が高い情報表示を行うことができる。
【符号の説明】
【００４１】
１  外部通信部、２，２ａ  表示制御部、３  液晶表示部、１２  顔認識画像センサ、１３  ターゲット座標計算部、１４  表示方向変更部、３０  湾曲液晶パネル、３１，３２，３３  マルチ湾曲液晶パネル。
【図１】
2011099906.tif 000003
【図２】
2011099906.tif 000004
【図３】
2011099906.tif 000005
【図４】
2011099906.tif 000006
【図５】
2011099906.tif 000007
【図６】
2011099906.tif 000008
【図７】
2011099906.tif 000009
【図８】
2011099906.tif 000010
【図９】
2011099906.tif 000011
【図１０】
2011099906.tif 000012
【図１１】
2011099906.tif 000013
【図１２】
2011099906.tif 000014
【図１３】
2011099906.tif 000015
【図１４】
2011099906.tif 000016
【図１５】
2011099906.tif 000017